(57)【要約】【課題】  固定時の安定性がよい上に、安価に製造できるようにすること。【解決手段】  既設折板１２の上に別の新設折板１４を固定すべく、頂面１２ａの左右両側に末広がり上の傾斜面１２ｂを有した形の上記既設折板１２上に固定する改修用折板支持具１３であって、上記傾斜面１２ｂに沿う形の脚部１５を形成するとともに、既設折板１２と新設折板１４との間に空間を形成する空間形成用の立ち上がり部１６を上記脚部１５の上端に形成して、該立ち上がり部１６の上端に、新設折板固定用の固定手段１７を形成するとともに、上記立ち上がり部１６内の天井面には、既設折板１２への固定時に、既設折板１２を固定するため上記頂面１２ａから上へ向けて突出しているボルト１２ｄに当接する突部２５を形成した改修用折板支持具１３。【選択図】    図６
2005036629.tif 000002
【特許請求の範囲】
【請求項１】
既設折板の上に別の新設折板を固定すべく、頂面の左右両側に末広がり状の傾斜面を有した形の上記既設折板上に固定する改修用折板支持具であって、
上記傾斜面に沿う形の脚部を形成するとともに、既設折板と新設折板との間に空間を形成する空間形成用の立ち上がり部を上記脚部の上端に形成して、
該立ち上がり部の上端に、新設折板固定用の固定手段を形成するとともに、
上記立ち上がり部内の天井面には、既設折板への固定時に、既設折板を固定するため上記頂面から上へ向けて突出しているボルト、該ボルトに螺合しているナット、又は該ナットの下に固定されている座金に対して当接する突部を形成した
改修用折板支持具。
【請求項２】
前記突部の下面には、少なくともボルトの先端部を収容する凹部を形成した
請求項１に記載の改修用折板支持具。
【請求項３】
前記凹部の内底面を、中心部をもっとも深くするテーパ面で形成した
請求項２に記載の改修用折板支持具。
【請求項４】
前記固定手段を、剣先ボルトで構成するとともに、
前記突部を剣先ボルトと一体のボルト頭部で形成した
請求項１、２又は３に記載の改修用折板支持具。
【請求項５】
前記脚部の下端には、既設折板における隣接する傾斜面との間に突っ張る突っ張り部を形成した
請求項１、２、３又は４に記載の改修用折板支持具。
【請求項６】
前記請求項４又は５に記載の改修用折板支持具に用いる
剣先ボルト。
【発明の詳細な説明】
【技術分野】
【０００１】
この発明は、金属製の折板からなる屋根を改修するための金具に関し、より詳しくは既設の折板の上に新設の折板を固定するための改修用折板支持具に関する。
【背景技術】
【０００２】
上記のような改修用折板支持具として、下記特許文献１に記載の支持具を案出した。この改修用折板支持具は、既設折板における山部の傾斜面に重合して固定するハの字状をなす脚部と、該脚部の上に設けた折板受け部とで構成したもので、該折板受け部は、既設折板の頂面に位置する剣先ボルトを囲繞する形状に形成し、上記脚部の上端部には既設折板の頂面に上から当接する座部を形成した構成であり、固定時の安定性が良好であるなどの優れた効果を有する。
【０００３】
しかし、この改修用折板支持具では、折板受け部を特異な形状に形成するとともに、座部を形成するため、形状が複雑である。製造に当たっては主として金属板をプレス加工するが、その加工にコストが掛かるという難点を有する。
【０００４】
また、下記特許文献２に開示されているように、既設屋根を固定している剣先ボルトに嵌合してこれをつかむようにして固定する構成の屋根改修用クランプ具も提案されている。しかしこの構成によれば、剣先ボルトに嵌合するために割り溝を有する筒状のクランプ具を設けるほかに、このクランプ具の嵌合状態を保持するために締め付けるナットも必要であり、製作にコストの掛かるものであった。
【０００５】
しかも、既設折板を固定している剣先ボルトは、改修せねばならない既設折板と同様に老朽化している。つまり、軸線を中心にした部位においては強度を有するものの、腐食の影響を受けやすい外周面のねじ山はボロボロの状態である。このため、既設折板を固定している剣先ボルトの実質的な径は、本来の剣先ボルトの径よりも小径となっており、内周面にねじ山を有するクランプ具により嵌合して外側からナットで締め付けても、締め付けが利かず、強固な固定状態は得られない。
【０００６】
【特許文献１】特許第２８６６００８号公報
【特許文献２】特開２００１−２７９８７６号公報。
【発明の開示】
【発明が解決しようとする課題】
【０００７】
そこでこの発明は、荷重の支え方を工夫することにより、固定時の安定性がよい上に、安価に製造できるようにすることを主たる課題とする。
【課題を解決するための手段】
【０００８】
そのための手段は、既設折板の上に別の新設折板を固定すべく、頂面の左右両側に末広がり状の傾斜面を有した形の上記既設折板上に固定する改修用折板支持具であって、上記傾斜面に沿う形の脚部を形成するとともに、既設折板と新設折板との間に空間を形成する空間形成用の立ち上がり部を上記脚部の上端に形成して、該立ち上がり部の上端に、新設折板固定用の固定手段を形成するとともに、上記立ち上がり部内の天井面には、既設折板への固定時に、既設折板を固定するため上記頂面から上へ向けて突出しているボルト、該ボルトに螺合しているナット、又は該ナットの下に固定されている座金に対して当接する突部を形成した改修用折板支持具であることを特徴とする。
【０００９】
すなわち、改修用折板支持具を既設折板に対して固定すべく、既設折板に被せると、脚部が既設折板の傾斜面に当接するとともに、立ち上がり部の天井面に形成した突部が既設折板を固定している剣先ボルトの先端に当接する。この状態で脚部をテクスやヘクスなどのドリルネジ等により固定することで、上記３箇所で荷重を支持する固定状態が得られる。
【００１０】
なお、既設折板を固定している剣先ボルトに合成樹脂製のキャップを被せてある場合には、そのキャップは経年変化により劣化しているので、その上から固定を行ってもキャップは容易に壊れて上記固定状態を得られるが、ハンマ等の適宜冶具で破壊してから固定を行うもよい。
【００１１】
上記突部の下面には、少なくともボルトの先端部を収容する凹部を形成するとよい。
【００１２】
より好ましくは、上記凹部の内底面を、中心部をもっとも深くするテーパ面で形成するとよい。
【００１３】
上記固定手段は、剣先ボルトで構成するとともに、上記突部を剣先ボルトと一体のボルト頭部で形成すると、製作はより簡単で安価に行えるのでよい。
【００１４】
上記固定手段を、剣先ボルトで構成するとともに、上記突部を、立ち上がり部に対する剣先ボルトの固定時に挟み込まれて固定される被挟持部を上端に有した筒状の突部形成部材で形成することもできる。
【００１５】
また、上記脚部の下端には、既設折板における隣接する傾斜面との間に突っ張る突っ張り部を形成するもよい。
【００１６】
別の手段は、上記改修用折板支持具に用いる剣先ボルトであることを特徴とする。
【発明の効果】
【００１７】
以上のようにこの発明によれば、荷重は、左右両側の脚部と、これらの中間の突部で支持する構成であり、そのための新規な構成として、突部を形成するだけでよい。このため、脚部を有する部材に、複雑な形状を形成する必要がなく、加工が安価に行える。しかも、突部は、一本のボルト又は筒状の部材等適宜部材の組み合わせで構成することができるので、安価な製造がより確実にできる。
【００１８】
また、突部を構成するボルトの頭部に加工を行うにしても、その加工は、凹部の形成等でよく、簡素であり、加工に手間もコストも掛からない。
【００１９】
そして、固定状態では、脚部の２箇所と、それより上方位置における左右方向の中間位置との３箇所で荷重を支持するので、バランスよく、均等な支持が可能で、安定性がよい。
【００２０】
脚部の下端に突っ張り部を形成すると、この突っ張り部が上からの荷重や横からの荷重を支えるので、より良好な固定状態を得ることができる。また、突っ張り部は、隣接する傾斜面間で突っ張るので、傾斜面間の幅の誤差を吸収して固定でき、全体を同じように安定して固定できる。
【発明を実施するための最良の形態】
【００２１】
この発明を実施するための一形態を、以下図面を用いて説明する。  
図１は、改修した折板屋根１１の構造を示す説明図で、この図に示すように折板屋根の改修は、既設折板１２の上に改修用折板支持具１３（以下、支持具という）を固定し、この支持具１３の上から新設折板１４を固定して行う。
【００２２】
既設折板１２と新設折板１４を構成する折板は、山形の部分を左右方向に複数有した形状で、各山形部分は、平坦な頂面１２ａ，１４ａと、この頂面１２ａ，１４ａの両側から延設された末広がり状の傾斜面１２ｂ，１４ｂと、隣接する山形部分間で傾斜面１２ｂ，１４ｂの下端を連結する底面１２ｃ，１４ｃとからなる。
【００２３】
この例では、３つの山形部分を有する形状の折板を示したが、他の数の山形部分を有する形状であるもよい。
【００２４】
このような形状の既設折板１２と新設折板１４の間に介在する支持具１３は、既設折板１２の傾斜面１２ｂに沿う形の脚部１５，１５と、この脚部１５，１５の上端から立ち上がり、既設折板１２と新設折板１４との間に空間を形成する立ち上がり部１６とを有する。上記空間は、既設折板１２の頂面１２ａから突出している剣先ボルト１２ｄが新設折板１４に当たらないようにするのに必要な高さである。すなわち、立ち上がり部１６の高さは、規格により長さが統一されている剣先ボルトの頭部を除く部分の長さに略等しい高さは少なくとも必要となる。
【００２５】
立ち上がり部１６は、平坦な上端面１６ａと、これを支える両側の立ち上がり片１６ｂとを有し、上端面１６ａには剣先ボトル１７を、剣先ボルト１７の先が上を向いて突出するように固定している。
【００２６】
脚部１５の長さは、立ち上がり部１６の上端面１６ａに新設折板１４を固定したときに脚部１５の下端レベルで新設折板１４の底面１４ｃ受けることができる長さに設定している。また、脚部１５には、既設折板１２への固定用の貫通孔１５ａを形成している（図２参照）。この貫通孔１５ａには、テクスやヘクスなどのドリルねじ１８を螺挿する。
【００２７】
図２が支持具１３の斜視図である。この例では、上述のように折板が３つの山形部分を有する形状であるのに合わせて、同じく３つの山形部分を有する形に形成している。つまり、上記脚部１５と立ち上がり部１６とを有する山形部分を左右方向に３つ連設した形状の本体フレーム１９を設け、この本体フレーム１９の上端面に、剣先ボルト１７を一体に固定している。
【００２８】
本体フレーム１の上端面１６ａと、立ち上がり片１６ｂと、脚部１５と、さらには脚部１５より下の延設部分２０とには、補強用のリブ２１を形成している。リブ２１の凹凸は、上へ凸であるも凹であるも、いずれでもよく、図示例の形態に限定されるものではない。また、各部の境界部分のみに形成するもよい。
【００２９】
なお、上記延設部分２０のうち、各山形部分間に位置する延設部分２０ａは、既設折板１２における隣接する傾斜面１２ｂとの間に突っ張る突っ張り部である。この突っ張り部２０ａを形成することにより、支持具１３の安定した固定や寸法誤差の吸収に役立つ。
【００３０】
上記剣先ボルト１７は、図３に示したように全体として、尖鋭の剣先部２２と、雄ねじ部２３と、該雄ねじ部２３よりも大径に形成したカシメ用の大径部２４と、頭部２５と、該頭部２５における大径部２４側に設けた回り止め突起２６とを有する一般的な剣先ボルトの形状であるが、上記頭部２５を所定の高さ（厚み）に形成するとともに、反剣先部側の面には、凹部２７を形成している（図４参照）。
【００３１】
頭部２５の高さは、図５に示すようにして支持具１３を既設折板１２の上に被せて脚部１５を既設折板１２の傾斜面１２ｂに固定するときに、既設折板１２の剣先ボルト１２ｄの先端が当接可能とする高さであり、上述のように凹部２７を形成して剣先ボルト１２ｄの剣先部分を包み込むようにしている分、最低限必要な高さよりも高く形成している。
【００３２】
上記凹部２７は、剣先ボルト１７の剣先部２２が略円錐状であるため、これに合わせて内底面を円錐状に形成される。内底面は、図４（ａ）に示したように中心が最も深くなるテーパ面２７ａで形成して、支持具１３の剣先ボルト１７が既設折板１２を固定している剣先ボルト１２ｄと同一軸線上に自ずと位置するように設定しておく。凹部２７の形状は、例えば図４（ｂ）に示したように、内奥部のみが円錐状になるように形成するもよい。この他、適宜の形状を採用できる。凹部２７は少なくとも剣先部２２が埋没する深さに形成するのが好ましい。
【００３３】
また、頭部２５は、図示例では平面視円形に形成したが、例えば多角形状であるもよい。
【００３４】
さらに、図４（ｃ）に示したように頭部２５の高さを、剣先ボルト１２ｄに螺合しているナット１２ｅに当接可能な高さに設定し、内部には、剣先ボルト１７の突出している部分を収容する凹部２７を形成するもよい。突部の当接は、上記ナットの下に位置する座金１２ｆに当接させるもよい。
【００３５】
上述のように形成した剣先ボルト１７は、本体フレーム１９の立ち上がり部１６の上端面にあらかじめ形成した孔に下から差し込んで、大径部２４を上から潰してカシメ固定される。これにより立ち上がり部１６内の天井面に、突部を形成したことになる。
【００３６】
本体フレーム１９は、所定幅の細幅金属板を型によりプレス加工すれば得られる。プレス加工は、金属板の長さ方向において折曲するとともに、所定箇所にリブ２１を形成すればよく、工数も少なく、容易に、そして安価に製造できる。
【００３７】
このように構成した支持具１３では、老朽化した既設折板１２に対して上から固定する（図５参照）。固定は、立ち上がり部１６の天井面に形成した突部、すなわち剣先ボルト１７の頭部２５の凹部２７を既設折板１２の剣先ボルト１２ｄに被せるように位置させるとともに、両側の脚部１５，1５を既設折板１２の傾斜面１２ｂで受けさせて、脚部１５の貫通孔１５ａにはテクスなどのドリルねじ１８を螺挿して行う（図６、図７参照）。
【００３８】
なお、既設折板１２の剣先ボルト１２ｄの長さ、あるいはその腐食度合いの違いに対応可能にすべく、既設折板の傾斜面１２ｂと支持具１３の脚部１５との間には、適宜の隙間ｗができるように各部の寸法を設定するとよい。隙間ｗは、例えば１〜数mm程度でよく、より具体的には、１〜１.５mm程でよい。剣先ボルト１２ｄが古い規格のもので短い場合には、その長さの違いを、また剣先ボルト１２ｄの剣先部がかなりの程度腐食している場合には、その腐食による長さの違いを吸収することができ、使用可能範囲を広くすることができる。
【００３９】
剣先ボルト１２ｄも既設折板１２と同様に経年変化により老朽化しているが、ねじ山以外の軸線を中心にした部分は強い。その強い、剣先ボルト１２ｄの軸線上と、これを挟む左右位置であって剣先ボルト１２ｄの固定位置とは高さを違えた２箇所の、合計３箇所で強固に固定するので、安定した固定が可能となる。
【００４０】
剣先ボルト１２ｄにキャップが被せてある場合には、合成樹脂製のキャップも劣化している状態であり、キャップの上から固定を行っても、上から被せることによりキャップが自ずと壊れる。このため、上述のような固定が可能である。あらかじめキャップを外すなり、破壊するなりしてもよい。
【００４１】
上記図４（ｃ）に示したように、剣先ボルト１７の頭部２５の高さを、既設折板１２のナット１２ｅに当接する高さに設定した場合には、支持具１３を既設折板１２に対して上から固定すると、図８に示したように、頭部２５の凹部２７が剣先ボルト１２ｄを包み込むとともに、頭部２５の下端がナット１２ｅの上面に当接する。
【００４２】
このとき凹部２７は、剣先ボルト１２ｄを包み込んでいるので、左右のぶれもなく、確実に安定する。
【００４３】
また、図９に示したように、頭部２５の内底面に、剣先ボルト１２ｄの先端が当接する上述のようなテーパ面２７ａを形成すると、ナット１２ｅの上面と剣先ボルト１２ｄの剣先部２２との２箇所で支持される。
【００４４】
このように、剣先ボルト１７の頭部２５の高さを高く形成することで突部を形成するほか、図１０に示したように筒状の突部形成部材２５ａを剣先ボルト１７に組み合わせることで、突部を形成することもできる。この場合には、突部（突部形成部材２５ａ）の下端をナット１２ｅの下の座金１２ｆに当接させるのに好適である。剣先ボルト１７には、ある程度の径の頭部１７ａが必要だからである。
【００４５】
すなわち、図１１に示したように、剣先ボルト１７の頭部１７ａの上面側外周部に、段部１７ｂを形成し、該段部１７ｂに嵌る大きさのリング状の被挟持部２５ａを上端に有する上記突部形成部材２５ａを組み合わせる。
【００４６】
上記被挟持部２５ａは、剣先ボルト１７を固定した時に、立ち上がり部１６と剣先ボルト１７の頭部１７ａとの間に挟持され、自動的に一体化される部分である。
【００４７】
突部形成部材２５ａを金属で形成する場合は、絞り加工により被挟持部２５ｂは形成でき、合成樹脂で形成する場合は、射出成形等で形成できる。
【００４８】
このように構成した突部を有する支持具１３では、上述したようにして既設折板１２の上に固定することで、突部形成部材２５ａが剣先ボルト１２ｄを包囲して、下端部がナット１２ｅを包み込むとともに、下端が、座金１２ｆ上に当接して安定する。
【００４９】
図１３に示したように、突部形成部材２５ａの内周面の上下方向中間位置に、内周側に突出し、突部形成部材２５ａの下端が座金１２ｆ上に当接した時にナット１２ｅの上面に当接する当接座部２５ａを形成して、二重の当接を図ることもできる。
【００５０】
さらにまた、剣先ボルト１７の頭部１７ａの高さを既設折板１２のナット１２ｅの上面に当接するように高く形成して、内部に剣先ボルト１２ｄを収容するとともに、剣先ボルト１２ｄの剣先部２２が当接するテーパ面２７ａを形成し、さらなる安定化を図るも良い。
【００５１】
上述のような固定状態において、立ち上がり部１６は既設折板１２の山形部分の上にしっかりと固定されるとともに、各突っ張り部２０ａが既設折板１２の山形部分間で突っ張って支持具１３の固定状態をより良好にする。
【００５２】
剣先ボルト１７は、等間隔にまっすぐ立った状態となり、これに新設折板１４を固定すると、折板屋根の改修が行え、新しい折板屋根と同様の強固な折板屋根が得られる。図中２８は、パッキン、座金、ナットからなる締結具である。
【００５３】
この発明の構成と、上記一実施の形態の構成との対応において、  
この発明における頂面から上へ向けて突出しているボルトは、上記剣先ボルト１２ｄに対応し、  
以下同様に、  
立ち上がり部の上端は、上端面１６ａに対応し、  
固定手段は、剣先ボルト１７に対応し、  
突部は、頭部２５、及び突部形成部材２５ａに対応するも、  
この発明は、上記構成のみに限定されるものではない。
【００５４】
例えば、上記固定手段は吊子等で構成もよく、また山形部分が1つの支持具であって突っ張り部２０ａを持たない形状であるもよい。
【図面の簡単な説明】
【００５５】
【図１】改修した折板屋根の説明図。
【図２】改修用折板支持具の斜視図。
【図３】剣先ボルトの斜視図。
【図４】剣先ボルトの断面図。
【図５】固定の仕方を示す断面図。
【図６】要部の一部破断正面図。
【図７】要部の一部破断正面図。
【図８】要部の一部破断正面図。
【図９】要部の一部破断正面図。
【図１０】改修用折板支持具の要部正面図。
【図１１】剣先ボルトと突部形成部材の斜視図。
【図１２】要部の一部破断正面図。
【図１３】要部の一部破断正面図。
【図１４】要部の一部破断正面図。
【符号の説明】
【００５６】
１１…改修した折板屋根
１２…既設折板
１２ａ…頂面
１２ｂ…傾斜面
１２ｄ…剣先ボルト
１２ｅ…ナット
１２ｆ…座金
１３…改修用折板支持具
１４…新設折板
１５…脚部
１６…立ち上がり部
１６ａ…上端面
１７…剣先ボルト
２０ａ…突っ張り部
２５…頭部
２５ａ…突部形成部材
２７…凹部
２７ａ…テーパ面
【図１】
2005036629.tif 000003
【図２】
2005036629.tif 000004
【図３】
2005036629.tif 000005
【図４】
2005036629.tif 000006
【図５】
2005036629.tif 000007
【図６】
2005036629.tif 000008
【図７】
2005036629.tif 000009
【図８】
2005036629.tif 000010
【図９】
2005036629.tif 000011
【図１０】
2005036629.tif 000012
【図１１】
2005036629.tif 000013
【図１２】
2005036629.tif 000014
【図１３】
2005036629.tif 000015
【図１４】
2005036629.tif 000016